(57)【特許請求の範囲】
【請求項１】
第１パネルと、この第１パネルに少なくとも部分的に重ねられた第２パネルと、これらの第１パネルおよび第２パネルを互いに連結するロック手段とを有し、
前記ロック手段は、前記第１パネルに形成されたスリットと、前記第２パネルの自由端縁から突出して前記スリットに挿入されたタブとを備え、
前記スリットは前記第１パネルの自由端縁にほぼ沿うように延びる主部と、この主部の少なくとも一方の端を基点に前記第１パネルの自由端縁から遠ざかる方向へ延びる中間部と、この中間部を基点に前記第１パネルの自由端縁にほぼ沿って前記主部から遠ざかる方向へ延びる終端部とを備え、
前記タブはその少なくとも一方の側縁から突出する張り出し部を有する包装用容器において、
前記第１パネルに折目線が形成され、この折目線は、前記中間部と前記終端部と前記折目線とにより囲まれた部分がほぼ三角形をなす位置に形成され、この折目線と前記中間部と前記終端部とにより囲まれた部分である係合フラップが前記折目線を介して前記第１パネルに折り曲げ自在に連結され、この係合フラップに前記張り出し部が係合されていることを特徴とする包装用容器。
【請求項２】
前記終端部を基点に前記第１パネルの自由端縁から遠ざかる方向に延びる補助スリット部を前記スリットが有することを特徴とする請求項１に記載の包装用容器。
【請求項３】
前記張り出し部と前記第２パネルの自由端縁とが間隔をおいて対向し、前記第２パネルの自由端縁に対向する張り出し部の縁が前記係合フラップに係合していることを特徴とする請求項１または請求項２に記載の包装用容器。
【請求項４】
前記第１パネルは、パネル本体と、このパネル本体に折り曲げ線を介して折り曲げ自在に連結された折り曲げ部とを備え、前記スリットの主部が前記折り曲げ部に形成されていることを特徴とする請求項１ないし請求項３のいずれか１項に記載の包装用容器。
【請求項５】
前記主部と中間部が前記折り曲げ部に形成され、かつ、前記終端部が前記折り曲げ線とほぼ同一直線上に配置されていることを特徴とする請求項４に記載の包装用容器。
【発明の詳細な説明】
【０００１】
【発明の属する技術分野】
本発明は、缶などを包装するのに好適な包装用容器に係り、特に、容器壁を構成する２枚のパネルを互いに連結するスライドロック機構の改良に関する。
【０００２】
【従来の技術】
カートンブランクの複数のパネルのうちの１枚にタブを突設し、このタブを同じブランクの他のパネルに形成したスリットに挿入して両パネルを互いに連結するいわゆるスライドロック機構と称する技術は、従来からよく知られている。
【０００３】
そして、この種のスライドロック機構を有する包装用容器においては、両パネルを連結状態に保持するためにタブとスリットの係合が解除されるのを防止しなければならない。
【０００４】
このため、従来から、スリットの両端部をクランク状に曲げ、これら両端部近傍の材料にタブの張り出し部を係合させて、スリットからタブの抜け出しを防止するようにした包装用容器が提案されている。このような包装用容器の例は、米国特許第１３３３１０２号、第３０６４８７７号、第３１８６５４５号、第３３０５１６１号、第３３４１９０８号、第３６５５１１７号、米国意匠特許第２２９４８５号、仏国特許第１４２４５３６号などに記載されている。
【０００５】
【発明が解決しようとする課題】
しかしながら、前述した特許の包装用容器の場合、スリット両端部近傍の材料の構造的柔軟性が乏しく、そのためタブをスリットに挿入しにくいだけでなく、挿入後もこのスリット両端部近傍部分がタブ挿入時の変形から回復しにくいという不具合があった。つまり、スリット両端部近傍の材料が変形から回復しにくいと、その両端部近傍部分がタブの抜け止めとして機能しないことがある。
【０００６】
本発明は、前述した点に鑑み、スリットへのタブの挿入を容易になしうるようにするとともに、タブとスリットの係合信頼性が高く、しかも、容器の形状を安定的に保持することができる包装用容器を提供することを目的としている。
【０００７】
【課題を解決するための手段】
前述した目的を達成するため請求項１に係る本発明の包装用容器の特徴は、第１パネルと、この第１パネルに少なくとも部分的に重ねられた第２パネルと、これらの第１パネルおよび第２パネルを互いに連結するロック手段とを有し、前記ロック手段は、前記第１パネルに形成されたスリットと、前記第２パネルの自由端縁から突出して前記スリットに挿入されたタブとを備え、前記スリットは前記第１パネルの自由端縁にほぼ沿うように延びる主部と、この主部の少なくとも一方の端を基点に前記第１パネルの自由端縁から遠ざかる方向へ延びる中間部と、この中間部を基点に前記第１パネルの自由端縁にほぼ沿って前記主部から遠ざかる方向へ延びる終端部とを備え、前記タブはその少なくとも一方の側縁から突出する張り出し部を有する包装用容器において、前記第１パネルに折目線が形成され、この折目線は、前記中間部と前記終端部と前記折目線とにより囲まれた部分がほぼ三角形をなす位置に形成され、この折目線と前記中間部と前記終端部とにより囲まれた部分である係合フラップが前記折目線を介して前記第１パネルに折り曲げ自在に連結され、この係合フラップに前記張り出し部が係合している点にある。そして、このような構成を採用したことにより、スリットへのタブの挿入時にタブの張り出し部がスリット近傍の係合フラップを押圧することによりこの係合フラップが折目線に沿って容器内側へ容易に折曲されるので、スリットへのタブの挿入を容易になすことができるし、また、この係合フラップはスリットへのタブの挿入後には、その折り曲げ状態から折り曲げ前の元の状態に戻りやすいので、この係合フラップにタブの張り出し部が係合してタブの安定的な抜け止めとなる。
【０００８】
請求項２に係る本発明の包装用容器の特徴は、請求項１において、前記終端部を基点に前記第１パネルの自由端縁から遠ざかる方向に延びる補助スリット部を前記スリットが有する点にある。そして、このような構成を採用したことにより、スリットへのタブの挿入時に補助スリット部の先端を中心として第１パネルが部分的に折曲されるので、大きな空隙がスリットにより形成されることになり、スリットへのタブの挿入をさらに容易に行うことができる。
【０００９】
請求項３に係る本発明の包装用容器の特徴は、請求項１または請求項２において、前記張り出し部と前記第２パネルの自由端縁とが間隔をおいて対向し、前記第２パネルの自由端縁に対向する張り出し部の縁が前記係合フラップに係合している点にある。そして、このような構成を採用したことにより、係合フラップへのタブの張り出し部の係合を確実に行うことができる。
【００１０】
請求項４に係る本発明の包装用容器の特徴は、請求項１ないし請求項３のいずれか１項において、前記第１パネルは、パネル本体と、このパネル本体に折り曲げ線を介して折り曲げ自在に連結された折り曲げ部とを備え、前記スリットの主部が前記折り曲げ部に形成されている点にある。そして、このような構成を採用したことにより、スリットの主部が折り曲げ部を折り曲げることにより大きく開口されるので、スリットへのタブの挿入をさらに容易に行うことができる。
【００１１】
請求項５に係る本発明の包装用容器の特徴は、請求項４において、前記主部と中間部が前記折り曲げ部に形成され、かつ、前記終端部が前記折り曲げ線とほぼ同一直線上に配置されている点にある。そして、このような構成を採用したことにより、スリットの全体がさらに大きく開口されるので、スリットへのタブの挿入をさらに容易に行うことができる。
【００１２】
【発明の実施の形態】
図４は本発明に係る包装用容器を形成するためのブランクの第１実施形態を示すものであり、まず、この包装用容器のブランクについて説明する。
【００１３】
本実施形態のブランク１は、平面ほぼ長方形状をなす厚紙により形成されており、このブランク１は、２個の同一形状の物品を同時に包装しうるような寸法を有している。そして、このブランク１は、その長手方向の中央部に細長い長方形状の頂壁２を有しており、この頂壁２の両側縁には、それぞれ側壁４Ａ，４Ｂが折目線３Ａ，３Ｂを介して連設されている。このうち、一方の折目線３Ａは、前記ブランク１の両端部と中央部に位置する相互に分断された３本の折目線部３ａ，３ｂ，３ｃにより形成されており、他方の折目線３Ｂは、連続した折目線とされているが、分断された切断線を混在させて折曲をさらに容易にすることも可能である。
【００１４】
また、前記折目線３Ａの各２本の折目線部３ａと３ｂの間、および折目線部３ｂと３ｃの間の前記頂壁２には包装する物品の頂壁の一部の形状に合わせた形状の突出部５，５が形成されている。さらに、これらの突出部５が形成される側の前記側壁４Ａには、前記物品を外部に露出するための２つの開口６，６が前記各突出部５に相当する部位の材料とこの部位より下方部位の材料とを削落することにより前記側壁４Ａの上端から上下方向の中間まで延びるようなほぼ平行四辺形状にそれぞれ形成されている。なお、前記頂壁２には、包装してある物品を取り出すために頂壁２を切り裂くための直線状の裂断部７が形成されている。
【００１５】
前記側壁４Ａの各開口６の下縁に沿うようにしてこの側壁４Ａのほぼ上半部を傾斜状に折曲するための折目線８Ａが形成されている。また、前記他方の側壁４Ｂには、前記側壁４Ａより多少下位となる位置に前記折目線８Ａと同様の折目線８Ｂが折目線８Ａと平行に形成されている。
【００１６】
前記各側壁４Ａ，４Ｂの前記頂壁２と反対側の縁には、それぞれ折目線９Ａ，９Ｂを介して底壁部１０Ａ，１０Ｂが連設されている。これらの両底壁部１０Ａ，１０Ｂは、相互に組み合わされて底壁１０を構成する。前記折目線９Ａ，９Ｂは、それぞれ連続した折目線とされているが、分断された切断線を混在させて折曲をさらに容易にすることも可能である。これらの底壁部１０Ａ，１０Ｂは、第１パネルおよび第２パネルを構成している。
【００１７】
このうち、前記底壁部１０Ｂの自由端縁には、ブランク１の幅方向に間隔を隔てて３つのタブ１１ａ，１１ｂ，１１ｃが突設されている。このうち、両側に位置する２つのタブ１１ａ，１１ｃは、相互に左右が逆の鏡像となる形状に形成されている。すなわち、各タブ１１ａ，１１ｃの外周縁１２は、ほぼ全体的に円弧状に形成されており、それぞれ外側となる一方の側縁１２Ａの基部にほぼＵ字状の切欠き部１３を形成して、尖端１５を有する張り出し部を構成する鉤状突起１４が側縁１２Ａに形成されている。なお、各タブ１１ａ，１１ｃより外側の前記ブランク１の外端縁には、底壁部１０Ｂの幅を漸減する傾斜部１６がそれぞれ形成されている。
【００１８】
また、前記ブランク１の幅方向における中央部に位置する前記タブ１１ｂの外周縁１２は、前記各タブ１１ａ，１１ｃと同様、ほぼ全体的に円弧状に形成されており、その両側縁１２Ａ，１２Ｂの基部にほぼＵ字状の切欠き部１３を形成して、それぞれ尖端１５を有する張り出し部を構成する１対の鉤状突起１４，１４が各側縁１２Ａ，１２Ｂに形成されている。そして、各タブ１１ａ，１１ｂ，１１ｃにおける鉤状突起１４は、左右における向きの違いを除けば、同一形状とされている。
【００１９】
一方、前記他の底壁部１０Ａの先端部において、前記ブランク１の幅方向において前記各タブ１１ａ，１１ｂ，１１ｃに対応する位置に、それぞれ各タブ１１が挿入されるスリット１７ａ，１７ｂ，１７ｃが前記底壁部１０Ａの自由端縁にほぼ沿って延びるように形成されている。なお、各スリット１７ａ，１７ｂ，１７ｃの両端間の直線寸法は、各タブ１１ａ，１１ｂ，１１ｃの挿入方向に直交する方向における最大幅とほとんど等しいかあるいはこれより若干長い寸法に形成されている。
【００２０】
前記ブランク１の幅方向における両側に位置する２つのスリット１７ａ，１７ｃは、相互に左右が逆の鏡像となる形状に形成されている。すなわち、各スリット１７ａ，１７ｃは、挿入される前記タブ１１ａ，１１ｃに対向する方向においてそれぞれの長手方向における中央側が膨出するようにほぼ全体的に円弧状をなす主部を有している。さらに、主部のの長手方向における中央部は、前記タブ１１ａ，１１ｃのスリット１７ａ，１７ｃへの挿入のガイドの役目をする円弧状突起１８を形成するための円弧状部となっている。
【００２１】
また、前記タブ１１ａ，１１ｃの鉤状突起１４が挿入される部位の前記スリット１７ａ，１７ｂには、図３に詳示するように、前記タブ１１ａ，１１ｃの挿入方向に延びる、すなわち、前記底壁部１０Ａの自由端から遠ざかる方向に延びる中間部を構成する第１スリット部２０ａ、およびこの挿入方向に直交する方向に延びる、すなわち、前記底壁部１０Ａの自由端縁にほぼ沿って前記主部から遠ざかる方向に延びる終端部を構成する第２スリット部２０ｃが形成されている。これらの第１スリット部２０ａと第２スリット部２０ｃは、円弧部２０ｂを介して連接されてクランク状部１９を形成する。
【００２２】
さらに、前記各スリット１７ａ，１７ｃの前記クランク状部１９の近傍には、このクランク状部１９にほぼ２辺が対応するほぼ三角形状の係合フラップ２１が形成されている。この係合フラップ２１は、その折曲を容易に行うようにするための折目線２２を介して底壁部１０Ａに連結されている。したがって、この係合フラップ２１は、前記クランク状部１９と折目線２２とにより囲繞されて、ほぼ三角形状をなすことになる。なお、前述した折目線２２に代えて部分的な切断線を設けてもよい。
【００２３】
一方、前記ブランク１の幅方向における中央部に位置する前記スリット１７ｂには、前記タブ１１ｂが挿入されるようになっており、このため、前記スリット１７Ｂには、その長手方向の両端近傍に前述と同様の三角形状係合フラップ２１，２１が各々形成されている。
【００２４】
なお、前記各スリット１７ａ，１７ｃの外端より外側、ならびに各１対のスリット１７ａ，１７ｂ間およびスリット１７ｂ，１７ｃ間には分断された折り曲げ線２３が形成されており、この折り曲げ線２３より先端側には、折り曲げ部２４が形成され、この折り曲げ部２４内に前記各スリット１７ａ，１７ｂ，１７ｃの主部が形成されている。また、前記折り曲げ部２４内には、前記クランク部１９の第１スリット部２０ａが形成されており、前記第２スリット部２０ｃは、前記折り曲げ線２３にほぼ沿うように形成されている。
【００２５】
そして、相互に対応するタブ１１ａ，１１ｂ，１１ｃとスリット１７ａ，１７ｂ，１７ｃはロック手段を構成している。
【００２６】
図３および図４の各スリット１７ａ，１７ｂ，１７ｃの符号を付さないものを図５Ａ，Ｂ，Ｃに示す。
【００２７】
つぎに、前述した構成からなる本実施形態の作用について説明する。
【００２８】
前述した図４に示すブランク１を図１および図２の包装用容器１Ａに形成するには、ブランク１の頂壁２上に２つの物品Ａを上下逆向きにして載置する。ついで、各折目線３Ａ，３Ｂ，８Ａ，８Ｂ，９Ａ，９Ｂを順次折曲するようにして両底壁部１０Ａ，１０Ｂを近接し、折り曲げ線２３に沿って底壁部１０Ａの先端側を容器内側に折曲して各スリット１７ａ，１７ｂ，１７ｃをある程度拡開する。そして、他の底壁部１０Ｂの先端に突設されている各タブ１１ａ，１１ｂ，１１ｃの対応するスリット１７ａ，１７ｂ，１７ｃへの挿入を開始する。
【００２９】
すると、タブ１１ａ，１１ｂ，１１ｃに突設されている各鉤状突起１４が各スリット１７ａ，１７ｂ，１７ｃの近傍に位置している各三角形状係合フラップ２１に当接して押動し、各三角形状係合フラップ２１をその折目線２２に沿って比較的小さな力で容器内側へ折曲させる。したがって、各タブ１１ａ，１１ｂ，１１ｃの各スリット１７ａ，１７ｂ，１７ｃの挿入を大きな抵抗を受けることなく容易に行うことができる。そして、各タブ１１ａ，１１ｂ，１１ｃの各スリット１７ａ，１７ｂ，１７ｃへの挿入が完了すると、各タブ１１ａ，１１ｂ，１１ｃの各鉤状突起１４は、各スリット１７ａ，１７ｂ，１７ｃの内側に位置することになり、かつ各係合フラップ２１はほぼ折り曲げ前の状態に回復する。これにより両底壁部１０Ａ，１０Ｂが連結されて底壁１０を構成し、図１および図２に示すように、包装用容器１Ａが完成する。
【００３０】
このようにして構成されている包装用容器１Ａの各タブ１１ａ，１１ｂ，１１ｃが各スリット１７ａ，１７ｂ，１７ｃから抜けるような方向の力がいずれかの底壁部１０Ａ，１０Ｂに作用すると、各鉤状突起１４は、ストッパとして作用する各三角形状係合フラップ２１の背部に係合するので、各タブ１１ａ，１１ｂ，１１ｃの各スリット１７ａ，１７ｂ，１７ｃからの抜け落ちを確実に防止することができ、物品Ａを包装した包装用容器１Ａの形状を保持することができる。
【００３１】
このように本実施形態によれば、各タブ１１ａ，１１ｂ，１１ｃの各スリット１７ａ，１７ｂ，１７ｃへの挿入を容易に行うことができるし、各タブ１１ａ，１１ｂ，１１ｃの各スリット１７ａ，１７ｂ，１７ｃからの抜け落ちを確実に防止することができる。
【００３２】
図６は、本発明の第２実施形態の要部を示すものであり、本実施形態においては、各スリット１７ａ，１７ｂ，１７ｃの各三角形状係合フラップ２１に対向する各クランク状部１９の第２スリット部２０ｃが各スリット１７ａ，１７ｂ，１７ｃの端部に向かって折り曲げ部２４側にわずかに傾斜するように形成されるとともに、この第２スリット部２０ｃの端部に、各タブ１１ａ，１１ｂ，１１ｃの挿入方向、すなわち、前記底壁部１０Ａの自由端縁から遠ざかる方向にわずかに延びる補助スリット部２０ｄが連設されている。
【００３３】
その他の構成は前述した第１実施形態と同様なので、その説明は省略する。なお、図６の実施形態の各スリット１７ａ，１７ｂ，１７ｃの符号を付さないものを図７Ａ，Ｂ，Ｃに示す。
【００３４】
このような構成によれば、両底壁部１０Ａ，１０Ｂを近接し、折り曲げ線２３に沿って底壁部１０Ａの折り曲げ部２４を折曲して各スリット１７ａ，１７ｂ，１７ｃを拡開する際に、補助スリット部２０ｄの先端から底壁部１０Ａの折り曲げ部２４が折曲されることになるため、前述した第１実施形態と比較して大きな空隙がスリット１７ａ，１７ｂ，１７ｃにより形成されることになるので、各タブ１１ａ，１１ｂ，１１ｃをより容易に挿入することができる。
【００３５】
図８は、本発明の第３実施形態の要部を示すものであり、本実施形態は前述した図３に示す実施形態の変形例である。すなわち、本実施形態における図３に示す実施形態との相違は、図示したスリット１７ｂ，１７ｃならびに図示を省略したスリット１７ａのそれぞれの長手方向の中央部に円弧状部がない点のみであり、その他の構成は図３と同様である。
【００３６】
このような構成によれば、タブ１１ａ，１１ｂ，１１ｃを対応するスリット１７ａ，１７ｂ，１７ｃにガイドする円弧状部はないが、各スリット１７ａ，１７ｂ，１７ｃはそれぞれの主部自体が円弧状をなすように膨出しているので、タブ１１ａ，１１ｂ，１１ｃを対応するスリット１７ａ，１７ｂ，１７ｃへの挿入は比較的容易に行うことができる。その他の機能は他の実施形態と同様である。
【００３７】
図９は、本発明の第４実施形態の要部を示すものであり、本実施形態は前述した図６に示す実施形態の変形例である。すなわち、本実施形態における図６に示す実施形態との相違は、図示したスリット１７ｂ，１７ｃならびに図示を省略したスリット１７ａのそれぞれの長手方向の中央部に円弧状部がない点のみであり、その他の構成は図６と同様である。
【００３８】
このような構成によれば、タブ１１ａ，１１ｂ，１１ｃを対応するスリット１７ａ，１７ｂ，１７ｃにガイドする円弧状部はないが、各スリット１７ａ，１７ｂ，１７ｃはそれぞれの主部自体が円弧状をなすように膨出しているので、タブ１１ａ，１１ｂ，１１ｃを対応するスリット１７ａ，１７ｂ，１７ｃへの挿入は比較的容易に行うことができる。その他の機能は他の実施形態と同様である。
【００３９】
なお、前述した２つの実施形態においては、３つのタブ１１ａ，１１ｂ，１１ｃを３つのスリット１７ａ，１７ｂ，１７ｃに挿入するように説明したが、タブおよびスリットの数は適宜選択できる。たとえば、２つのタブとスリットにより底壁部を連結する場合には、それぞれ両側に位置するタブ１１ａ，１１ｃとスリット１７ａ，１７ｃのみによりタブとスリットとの連結を行うようにすればよい。
【００４０】
なお、本発明は、前述した実施の形態に限定されるものではなく、必要に応じて種々の変更が可能である。たとえば、第１パネルと第２パネルは、前述した実施形態において説明した底壁部同士の連結のみに適用されるものではなく、側壁部同士あるいは端部開口閉塞部同士など各種の部材の連結に適用できることは明らかである。
【００４１】
【発明の効果】
以上説明したように本発明によればスリットへのタブの挿入を容易になしうるようにするとともに、タブとスリットの係合信頼性が高く、しかも、容器の形状を安定的に保持することができる。
【００４２】
すなわち、請求項１に係る本発明の包装用容器は、スリットの中間部と終端部とを結ぶ方向に延びる折目線が前記第１パネルに形成され、この折目線と前記中間部と前記終端部とにより囲まれた部分である係合フラップが前記折目線を介して前記第１パネルに折り曲げ自在に連結され、この係合フラップに前記張り出し部が係合しているので、スリットへのタブの挿入時にタブの張り出し部がスリット近傍の係合フラップを押圧することによりこの係合フラップが折目線に沿って折曲され、スリットへのタブの挿入を容易になすことができるし、また、この係合フラップはスリットへのタブの挿入後には、その折り曲げ状態から折り曲げ前の元の状態に戻りやすいので、この係合フラップにタブの張り出し部が係合してタブの安定的な抜け止めとなる。
【００４３】
また、スリットの終端部を基点に第１パネルの自由端縁から遠ざかる方向に延びる補助スリット部をスリットが有することにより、スリットへのタブの挿入時に補助スリット部の先端を中心として第１パネルが部分的に折曲されるので、大きな空隙がスリットにより形成されることになり、スリットへのタブの挿入をさらに容易に行うことができる。
【００４４】
さらに、タブの張り出し部と第２パネルの自由端縁とが間隔をおいて対向し、第２パネルの自由端縁に対向する張り出し部の縁が前記係合フラップに係合することにより、係合フラップへのタブの張り出し部の係合を確実に行うことができる。
【００４５】
さらにまた、第１パネルが、パネル本体と、このパネル本体に折り曲げ線を介して折り曲げ自在に連結された折り曲げ部とを備え、スリットの主部が前記折り曲げ内部に形成されることにより、スリットの主部が折り曲げ部の折り曲げにより大きく開口されるので、スリットへのタブの挿入をさらに容易に行うことができる。
【００４６】
また、スリットの主部と中間部が折り曲げ部内に形成され、かつ、スリットの終端部が折り曲げ部を形成する折り曲げ線とほぼ同一直線上に配置されていることにより、スリットの全体がさらに大きく開口されるので、スリットへのタブの挿入をさらに容易に行うことができる。
【図面の簡単な説明】
【図１】  本発明に係る包装用容器の第１実施形態を示す下方からの斜視図
【図２】  図１の包装用容器内から物品を除去し一部を破断して示す上方からの斜視図
【図３】  図１の実施形態の要部の拡大平面図
【図４】  図１の実施形態のブランクを示す平面図
【図５】  Ａ，Ｂ，Ｃは図３の各スリットを符号を付さないで示す図３と同様の図
【図６】  本発明に係る包装用容器の第２実施形態を示す図３と同様の図
【図７】  Ａ，Ｂ，Ｃは図６の各スリットを符号を付さないで示す図７と同様の図
【図８】  本発明に係る包装用容器の第３実施形態を示す図３と同様の図
【図９】  本発明に係る包装用容器の第４実施形態を示す図３と同様の図
【符号の説明】
１  ブランク
１Ａ  包装用容器
２  頂壁
４Ａ，４Ｂ  側壁
１０  底壁
１０Ａ  底壁部（第１パネル）
１０Ｂ  底壁部（第２パネル）
１１ａ，１１ｂ，１１ｃ  タブ
１４  鉤状突起（張り出し部）
１７ａ，１７ｂ，１７ｃ  スリット
１９  クランク状部
２０ａ  第１スリット部（中間部）
２０ｃ  第２スリット部（終端部）
２１  三角形状係合フラップ
２２  三角形状係合フラップの折目線
２３  折り曲げ線
２４  折り曲げ部
【図１】
0004145414.tif 000002
【図２】
0004145414.tif 000003
【図３】
0004145414.tif 000004
【図４】
0004145414.tif 000005
【図５】
0004145414.tif 000006
【図６】
0004145414.tif 000007
【図７】
0004145414.tif 000008
【図８】
0004145414.tif 000009
【図９】
0004145414.tif 000010